(57)【要約】      （修正有）【課題】画面操作ボタンを押して画面表示をオンとした直後に確実に広告を表示することのできるスマートフォンを提供する。【解決手段】画面の表示状態と非表示状態とを切換える画面操作ボタン１０と、画面に表示する画像を記憶する記憶装置１２と、外部から受信した画像を記憶装置１２に保持させる通信手段１１と、ユーザによる各機能の起動を許容するためのロック解除手段１４と、通信手段１１が外部の広告サーバ２から受信して記憶装置１２に保持させた画像である広告画像１２１を画面に表示する広告表示手段１３とを備え、非表示状態において画面操作ボタン１０が押された時に、広告表示手段１３がロック解除手段１４よりも先に起動されるスマートフォン１を提供する。【選択図】図１
0003209149.tif 000002
【実用新案登録請求の範囲】
【請求項１】
画面の表示状態と非表示状態とを切換える画面操作ボタンと、
画面に表示する画像を記憶する記憶装置と、
外部から受信した画像を前記記憶装置に保持させる通信手段と、
ユーザによる各機能の起動を許容するためのロック解除手段と、
前記通信装置が外部の広告サーバから受信して前記記憶装置に保持させた画像である広告画像を前記画面に表示する広告表示手段とを備え、
前記非表示状態において前記画面操作ボタンが押された時に、前記広告表示手段が前記ロック解除手段よりも先に起動されることを特徴とする、スマートフォン。
【請求項２】
前記通信装置は、前記画面が非表示状態の時に前記広告画像を前記広告サーバから受信して前記記憶装置に保持させることを特徴とする、請求項１に記載のスマートフォン。
【請求項３】
前記広告表示機能は、音楽を再生する音楽プレイヤーとして搭載され、再生される音楽が無音であることを特徴とする、請求項１又は２に記載のスマートフォン。
【考案の詳細な説明】
【技術分野】
【０００１】
本考案は、スマートフォンに関する。
【背景技術】
【０００２】
スマートフォンのユーザに広告を見せるために、スマートフォンの画面に広告を表示することが行われている。しかし、ユーザが実際に見られる頻度が高いように広告を表示することは容易でない。ユーザが一連の操作をしている時に広告を表示しても、広告を見ることなく次の操作を行ってしまう場合が考えられるためである。
【０００３】
十分な頻度で広告が表示され、見られる時として、画面の表示状態と非表示状態とを切換える画面操作ボタン（「電源ボタン」と呼ばれるが、実際に電源のオン／オフを行っているものではなく画面表示のみがオン／オフされる。本明細書では「画面操作ボタン」と言うこととする。）を押して画面を非表示から表示にする時が挙げられる。多くのユーザが多数回行う操作であり、その際に広告が表示されると、見られる頻度が高いことが期待される。
【０００４】
画面表示をオンとする際、スマートフォンは「ロック画面」と呼ばれる画面を表示し、そこから暗証番号等を入力する操作（ロック解除操作）に移行する。ロック画面に広告を表示することが効果的である。この点、特許文献１にはロック画面に広告を表示することが開示されている。しかし、ロック画面はスマートフォン自体によって表示されるものであり、確実に表示することは容易でない。
【０００５】
また、非特許文献１には、「ロック画面」に広告配信を行うことが開示されている。これについても、特許文献１に開示のものと同様に、スマートフォン（オペレーティングシステム）に依存して、広告配信の難易が発生している。
【先行技術文献】
【特許文献】
【０００６】
【特許文献１】特表２０１５−５２０９０３号公報
【非特許文献】
【０００７】
【非特許文献１】楽天、スマホ「ロック画面」に広告配信  http://japan.cnet.com/marketers/news/35067297/
【考案の概要】
【考案が解決しようとする課題】
【０００８】
本考案は、画面操作ボタンを押して画面表示をオンとした直後に確実に広告を表示することのできるスマートフォンを提供することを課題とする。
【課題を解決するための手段】
【０００９】
本考案のスマートフォンは、
画面の表示状態と非表示状態とを切換える画面操作ボタンと、
画面に表示する画像を記憶する記憶装置と、
外部から受信した画像を前記記憶装置に保持させる通信手段と、
ユーザによる各機能の起動を許容するためのロック解除手段と、
前記通信装置が外部の広告サーバから受信して前記記憶装置に保持させた画像である広告画像を前記画面に表示する広告表示手段とを備え、
前記非表示状態において前記画面操作ボタンが押された時に、前記広告表示手段が前記ロック解除手段よりも先に起動されることを特徴とする。
【００１０】
この特徴によれば、広告表示手段によって、ロック解除前の画面（厳密には「ロック画面」ではないが「ロック画面」と同様に表示される。）に広告を表示することができる。広告は、通信手段によって入手・更新される。
【００１１】
本考案のスマートフォンは、
前記通信装置は、前記画面が非表示状態の時に前記広告画像を前記広告サーバから受信して前記記憶装置に保持させることを特徴とする、請求項１に記載のスマートフォン。
【００１２】
この特徴によれば、スマートフォンの非使用時にも、広告を受信して更新することができる。
【００１３】
本考案のスマートフォンは、
前記広告表示機能は、音楽を再生する音楽プレイヤーとして搭載され、再生される音楽が無音であることを特徴とする。
【００１４】
この特徴によれば、広告表示機能を容易に実装することができる。
【考案の効果】
【００１５】
本発明のスマートフォンによれば、画面操作ボタンを押して画面表示をオンとした直後に確実に広告を表示することができる。
【図面の簡単な説明】
【００１６】
【図１】図１は、スマートフォンの構成を示す図である。
【図２】図２は、スマートフォンの処理を示す図である。
【図３】図３は、広告表示手段及びロック解除手段の表示を示す図である。
【考案を実施するための形態】
【００１７】
以下、本発明に係るスマートフォンの実施例を示す。
【００１８】
（システムの構成）
図１は、スマートフォンの構成を示す図である。スマートフォン１には、画面操作ボタン１０が設けられている。スマートフォン１は、通信手段１１、記憶装置１２、広告表示手段１３、ロック解除手段１４及び表示画面１５を備えている。
【００１９】
記憶装置１２には、広告画像１２１が記憶されている。
【００２０】
（スマートフォンの動作）
スマートフォン１は、画面操作ボタン１０を備え、画面操作ボタン１０が操作される都度、画面の表示状態と非表示状態とを切換えて動作する。
【００２１】
図２は、スマートフォンの処理を示す図である。図３は、広告表示手段及びロック解除手段の表示を示す図である。以下、図３を参照しつつ、図２に沿ってスマートフォンの処理を示す。
【００２２】
スマートフォンは、ユーザが使用している時以外の多くの時において、表示画面１５の画面表示がない画面非表示状態である。
【００２３】
画面非表示状態において、画面表示を前提とする各種の手段は動作し得ないが、通信手段１１は動作する。電話の着信に対応するための手段（本考案と無関係）は当然に動作しており、スマートフォンは画面非表示状態においても各種手段（プログラムを含む）が動作するものである。
【００２４】
通信手段１１は、外部の広告サーバ２と通信し、広告サーバ２から広告画像１２１を受信し、記憶装置１２に格納する。広告画像１２１の受信は、適時に行われ、受信された広告画像１２１は、受信前の広告画像１２１に上書きされて格納される。
【００２５】
画面非表示状態において、広告画像１２１は、広告サーバ２の配信する最新のものに保たれる。
【００２６】
画面非表示状態において、ユーザが画面操作ボタン１０を押すと、画面の表示がなされて、画面表示状態となる。
【００２７】
スマートフォンは、一般に、画面非表示状態から画面表示状態に移行した後に、例えばユーザに４桁の暗証番号の入力を求める「ロック解除操作」を行う。画面非表示の間の盗難等に備えて安全性を担保するものである。
【００２８】
画面非表示状態から画面表示状態に移行した直後にロック解除操作に誘導する「ロック画面」を表示し、ロック解除操作を行うことが広く行われている。
【００２９】
画面非表示状態で画面操作ボタンを押すことは、ユーザによるスマートフォン１の使用開始であり、ユーザは画面を見ていると考えられる。したがってロック画面に広告を表示することが効果的であるが、ロック画面はスマートフォンのシステムが提供する画面であり、広告を確実に表示することは容易でない。
【００３０】
本考案のスマートフォン１は、ロック解除操作を行うためのロック解除手段１４を動作させる前に、広告表示手段１３を動作させる。これにより、ユーザに広告が確実に見られることとなる。
【００３１】
広告表示手段１３は、記憶された広告画像１２１を表示画面１５に表示する（図３（Ａ）参照）。広告提供者の意図に沿った画像が表示され、ユーザに見られることとなる。
【００３２】
図３（Ａ）に示す画面において例えば、「ポーズ」ボタンを押すことにより、広告表示手段１３の処理が完了し、ロック解除手段１４が起動されて、図３（Ｂ）に示す画面に移行する。ユーザは、４桁の暗証番号を入力する等の操作によってロックを解除することができる。
【００３３】
ロックが解除された後は、通常のスマートフォンと同様に動作する。
【００３４】
ここで、「ポーズ」ボタンを押すこととしているのは、広告表示手段１３が音楽プレイヤーとして実装されているためである。音楽プレイヤーは、画面表示をせずに音楽を聴くユーザのため、画面非表示状態においても動作する手段である。音楽プレイヤー実装のための技術情報はスマートフォン提供者によって提供されていることが多く、広告表示手段が容易に実装できる。
【産業上の利用可能性】
【００３５】
画面操作ボタンを押して画面表示をオンとした直後に確実に広告を表示することのできるスマートフォンである。多くのスマートフォン生産者や広告配信業者による利用が考えられる。
【符号の説明】
【００３６】
１      スマートフォン
１０    画面操作ボタン
１１    通信手段
１２    記憶装置
１２１  広告画像
１３    広告表示手段
１４    ロック解除手段
１５    表示画面
２      広告サーバ
【図１】
0003209149.tif 000003
【図２】
0003209149.tif 000004
【図３】
0003209149.tif 000005
【手続補正書】
【提出日】平成28年12月11日(2016.12.11)
【手続補正１】
【補正対象書類名】実用新案登録請求の範囲
【補正対象項目名】全文
【補正方法】変更
【補正の内容】
【実用新案登録請求の範囲】
【請求項１】
画面の表示状態と非表示状態とを切換える画面操作ボタンと、
画面に表示する画像を記憶する記憶装置と、
外部から受信した画像を前記記憶装置に保持させる通信手段と、
ユーザによる各機能の起動を許容するためのロック解除手段と、
前記通信手段が外部の広告サーバから受信して前記記憶装置に保持させた画像である広告画像を前記画面に表示する広告表示手段とを備え、
前記非表示状態において前記画面操作ボタンが押された時に、前記広告表示手段が前記ロック解除手段よりも先に起動されることを特徴とする、スマートフォン。
【請求項２】
前記通信手段は、前記画面が非表示状態の時に前記広告画像を前記広告サーバから受信して前記記憶装置に保持させることを特徴とする、請求項１に記載のスマートフォン。
【請求項３】
前記広告表示手段は、音楽を再生する音楽プレイヤーとして搭載され、再生される音楽が無音であることを特徴とする、請求項１又は２に記載のスマートフォン。
【手続補正２】
【補正対象書類名】明細書
【補正対象項目名】０００９
【補正方法】変更
【補正の内容】
【０００９】
本考案のスマートフォンは、
画面の表示状態と非表示状態とを切換える画面操作ボタンと、
画面に表示する画像を記憶する記憶装置と、
外部から受信した画像を前記記憶装置に保持させる通信手段と、
ユーザによる各機能の起動を許容するためのロック解除手段と、
前記通信手段が外部の広告サーバから受信して前記記憶装置に保持させた画像である広告画像を前記画面に表示する広告表示手段とを備え、
前記非表示状態において前記画面操作ボタンが押された時に、前記広告表示手段が前記ロック解除手段よりも先に起動されることを特徴とする。
【手続補正３】
【補正対象書類名】明細書
【補正対象項目名】００１１
【補正方法】変更
【補正の内容】
【００１１】
本考案のスマートフォンは、
前記通信手段は、前記画面が非表示状態の時に前記広告画像を前記広告サーバから受信して前記記憶装置に保持させることを特徴とする。
【手続補正４】
【補正対象書類名】明細書
【補正対象項目名】００１３
【補正方法】変更
【補正の内容】
【００１３】
本考案のスマートフォンは、
前記広告表示手段は、音楽を再生する音楽プレイヤーとして搭載され、再生される音楽が無音であることを特徴とする。
【手続補正５】
【補正対象書類名】明細書
【補正対象項目名】００１４
【補正方法】変更
【補正の内容】
【００１４】
この特徴によれば、広告表示手段を容易に実装することができる。